(57)【要約】      （修正有）【課題】コミュニティーＦＭラジオ放送において人件費を可能な限り極小化させた上で、出来るだけリスナーに興味を抱かせるような番組を放送するＦＭラジオ放送自動化装置を提供する。【解決手段】ＦＭラジオ放送自動化装置は、放送設備に対し、ランダムに選択される楽曲に関する演奏データを演奏させる制御を行う手段と、曲名及び演奏者名の一方又は両方を検索条件とする検索操作に基づいて、検索結果を表示させる手段と、リスナー端末における操作に基づいて、リスナー識別情報とリクエストする楽曲識別情報とを関連付けて受け付ける手段と、リクエストが所定の例外規則に合致するか否かを判定する手段と、リクエストされた曲をリクエスト順に記憶させる手段と、を有する。放送設備に対し、ランダムに選択される楽曲に関する演奏データに基づく演奏を中断させると共に、リクエスト曲の演奏データをリクエスト順に演奏させる制御を行う。【選択図】図２
2019103055.tif 000002
【特許請求の範囲】
【請求項１】
複数の楽曲について、前記楽曲の曲名と、前記楽曲を演奏する演奏者名と、前記楽曲が録音された演奏データと、前記楽曲を識別する楽曲識別情報と、を対応付けて記憶する楽曲情報記憶手段と、
ＦＭラジオ放送設備に対し、前記楽曲情報記憶手段に記憶される前記演奏データのうちランダムに選択される前記楽曲に関する前記演奏データを演奏させる制御を行う楽曲放送制御手段と、
ラジオ放送のリスナーが操作するリスナー端末において行われる、前記楽曲情報記憶手段が記憶する情報に対する前記曲名及び前記演奏者名の一方又は両方を検索条件とする検索操作に基づく検索結果を前記リスナー端末に表示させる検索結果表示手段と、
前記検索結果の１つを選択する前記リスナー端末における操作に基づいて、前記リスナーを識別するリスナー識別情報と、前記リスナーによって選択される前記検索結果に対応する前記楽曲識別情報と、を関連付けて受け付けるリクエスト受付手段と、
前記リクエスト受付手段によって受け付ける前記リスナー識別情報及び前記楽曲識別情報が所定の例外規則に合致するか否かを判定するリクエスト判定手段と、
前記リクエスト判定手段によって前記所定の例外規則に合致しないと判定された場合、前記リクエスト受付手段によって受け付ける前記楽曲識別情報を受け付け順でリクエスト情報記憶手段に記憶させるリクエスト登録手段と、を有し、
前記リクエスト登録手段によって前記リクエスト情報記憶手段に対する前記楽曲識別情報の登録処理が行われた場合、
前記楽曲放送制御手段が、前記ＦＭラジオ放送設備に対し、前記ランダムに選択される楽曲に関する演奏データに基づく演奏を中断させると共に、前記リクエスト情報記憶手段に記憶される前記楽曲識別情報に対応する前記演奏データを前記リクエスト登録手段によって記憶させた順に演奏させる制御を行うことを特徴とするＦＭラジオ放送自動化装置。
【請求項２】
前記所定の例外規則が、前記リクエスト受付手段によって同一の前記リスナー識別情報又は前記楽曲識別情報を連続して受け付けることであることを特徴とする請求項１に記載のＦＭラジオ放送自動化装置。
【請求項３】
前記楽曲情報記憶手段において、複数の楽曲について、前記曲名と、前記演奏者名と、前記演奏データと、前記楽曲の演奏時間と、前記楽曲識別情報と、を対応付けて記憶し、
前記ＦＭラジオ放送設備において放送中の前記楽曲に係る前記楽曲識別情報を検知する参考情報収集手段と、
前記参考情報収集手段によって検知される前記楽曲識別情報で識別される前記楽曲の演奏開始時刻、前記リクエスト情報記憶手段に記憶される前記楽曲識別情報で識別される前記楽曲に関する前記演奏時間に基づいて、前記リスナーが選択する前記楽曲が前記ＦＭラジオ放送設備において放送される時刻を算出する演奏開始時刻算出手段と、
前記リスナー端末に対し、前記参考情報収集手段によって検知される前記楽曲識別情報で識別される前記楽曲に係る前記曲名、前記演奏者、前記リクエスト情報記憶手段に記憶される前記楽曲識別情報のうち未放送のものの件数、及び前記演奏開始時刻算出手段によって算出される時刻を表示させる参考情報表示手段と、を有することを特徴とする請求項１又は２に記載のＦＭラジオ放送自動化装置。
【請求項４】
複数の楽曲について、前記楽曲の曲名と、前記楽曲を演奏する演奏者名と、前記楽曲が録音された演奏データと、前記楽曲を識別する楽曲識別情報と、を対応付けて記憶する楽曲情報記憶手段を有するＦＭラジオ放送自動化装置において行われるＦＭラジオ放送自動化方法であって、
楽曲放送制御手段が、ＦＭラジオ放送設備に対し、前記楽曲情報記憶手段に記憶される前記演奏データのうちランダムに選択される前記楽曲に関する前記演奏データを演奏させる制御を行うステップと、
検索結果表示手段が、ラジオ放送のリスナーが操作するリスナー端末において行われる、前記楽曲情報記憶手段が記憶する情報に対する前記曲名及び前記演奏者名の一方又は両方を検索条件とする検索操作に基づく検索結果を前記リスナー端末に表示させるステップと、
リクエスト受付手段が、前記検索結果の１つを選択する前記リスナー端末における操作に基づいて、前記リスナーを識別するリスナー識別情報と、前記リスナーによって選択される前記検索結果に対応する前記楽曲識別情報と、を関連付けて受け付けるステップと、
リクエスト判定手段が、前記リクエスト受付手段によって受け付ける前記リスナー識別情報及び前記楽曲識別情報が所定の例外規則に合致するか否かを判定するステップと、
リクエスト登録手段が、前記リクエスト判定手段によって前記所定の例外規則に合致しないと判定された場合、前記リクエスト受付手段によって受け付ける前記楽曲識別情報を受け付け順でリクエスト情報記憶手段に記憶させるステップと、を含み、
前記リクエスト登録手段によって前記リクエスト情報記憶手段に対する前記楽曲識別情報の登録処理が行われた場合、
前記楽曲放送制御手段が、前記ＦＭラジオ放送設備に対し、前記ランダムに選択される楽曲に関する演奏データに基づく演奏を中断させると共に、前記リクエスト情報記憶手段に記憶される前記楽曲識別情報に対応する前記演奏データを前記リクエスト登録手段によって記憶させた順に演奏させる制御を行うことを特徴とするＦＭラジオ放送自動化方法。
【請求項５】
前記所定の例外規則が、前記リクエスト受付手段によって同一の前記リスナー識別情報又は前記楽曲識別情報を連続して受け付けることであることを特徴とする請求項４に記載のＦＭラジオ放送自動化方法。
【請求項６】
前記楽曲情報記憶手段において、複数の楽曲について、前記曲名と、前記演奏者名と、前記演奏データと、前記楽曲の演奏時間と、前記楽曲識別情報と、を対応付けて記憶し、
参考情報収集手段が、前記ＦＭラジオ放送設備において放送中の前記楽曲に係る前記楽曲識別情報を検知するステップと、
演奏開始時刻算出手段が、前記参考情報収集手段によって検知される前記楽曲識別情報で識別される前記楽曲の演奏開始時刻、前記リクエスト情報記憶手段に記憶される前記楽曲識別情報で識別される前記楽曲に関する前記演奏時間に基づいて、前記リスナーが選択する前記楽曲が前記ＦＭラジオ放送設備において放送される時刻を算出するステップと、
参考情報表示手段が、前記リスナー端末に対し、前記参考情報収集手段によって検知される前記楽曲識別情報で識別される前記楽曲に係る前記曲名、前記演奏者、前記リクエスト情報記憶手段に記憶される前記楽曲識別情報のうち未放送のものの件数、及び前記演奏開始時刻算出手段によって算出される時刻を表示させるステップと、を含むことを特徴とする請求項４又は５に記載のＦＭラジオ放送自動化方法。
【請求項７】
コンピュータに、請求項４乃至６の何れか一に記載の方法を実行させるためのＦＭラジオ放送自動化プログラム。
【発明の詳細な説明】
【技術分野】
【０００１】
ＦＭラジオ放送における楽曲放送の番組を自動（無人）で行う技術に関する。
【背景技術】
【０００２】
リスナーからリクエストされた楽曲を放送するラジオ番組が存在するが、そこでは、番組の司会者がリスナーから受け付けた楽曲のリクエストに基づき放送する曲を選定し、放送局の担当者が放送設備に対し先の選定された曲を放送させる操作を行う。従って、このようなラジオ番組を実現させるためには、曲を選定する者や放送設備に対し曲を放送させる操作を行う者等の人件費が必要となる。
【０００３】
一方、市区町村等の比較的小さな地域を単位として、地域密着形の情報提供を目指すコミュニティー放送では、リスナーが少ないことに伴い、大きな広告収入が見込み難く、一般的に予算規模が小さいことが多い。従って、コミュニティー放送においては、人件費が懸案事項となる場合も多い。
【０００４】
他方、曲をリクエストする方式の放送に関し、幾つかの技術的提案がなされている。例えば、特許文献１では、視聴者／聴取者からのリクエストを自動的に受け付け、定められた放送時間内にそのリクエストに従って放送開始時刻と放送時間を割り当て、リクエストされた曲を放送する技術が提案されている。
【０００５】
また、特許文献２では、放送番組で楽曲のリクエストを受け付ける際、リクエストを受け付けるオペレータをなくし、ユーザーによるパソコンや携帯電話からのリクエスト曲を所定ルールで集計し、例えば票数の多い楽曲をワンクリックで選曲して放送するようにした情報システムを用いた技術が提案されている。
【先行技術文献】
【特許文献】
【０００６】
【特許文献１】特開２００２−４４６２８号公報
【特許文献２】特開２００４−１０４８０８号公報
【発明の概要】
【発明が解決しようとする課題】
【０００７】
しかしながら、上記の従来技術においては、番組の放送に人を介在させなければならない点が残されているため、コミュニティー放送が抱える人件費の削減という観点から改良の余地があるという問題点がある。
【０００８】
そこで本発明では、上記問題点に鑑み、コミュニティーＦＭラジオ放送において人件費を可能な限り極小化させた上で、出来るだけリスナーに興味を抱かせるような番組を放送するＦＭラジオ放送自動化装置を提供することを目的とする。
【課題を解決するための手段】
【０００９】
開示するＦＭラジオ放送自動化装置の一形態は、複数の楽曲について、前記楽曲の曲名と、前記楽曲を演奏する演奏者名と、前記楽曲が録音された演奏データと、前記楽曲を識別する楽曲識別情報と、を対応付けて記憶する楽曲情報記憶手段と、ＦＭラジオ放送設備に対し、前記楽曲情報記憶手段に記憶される前記演奏データのうちランダムに選択される前記楽曲に関する前記演奏データを演奏させる制御を行う楽曲放送制御手段と、ラジオ放送のリスナーが操作するリスナー端末において行われる、前記楽曲情報記憶手段が記憶する情報に対する前記曲名及び前記演奏者名の一方又は両方を検索条件とする検索操作に基づく検索結果を前記リスナー端末に表示させる検索結果表示手段と、前記検索結果の１つを選択する前記リスナー端末における操作に基づいて、前記リスナーを識別するリスナー識別情報と、前記リスナーによって選択される前記検索結果に対応する前記楽曲識別情報と、を関連付けて受け付けるリクエスト受付手段と、前記リクエスト受付手段によって受け付ける前記リスナー識別情報及び前記楽曲識別情報が所定の例外規則に合致するか否かを判定するリクエスト判定手段と、前記リクエスト判定手段によって前記所定の例外規則に合致しないと判定された場合、前記リクエスト受付手段によって受け付ける前記楽曲識別情報を受け付け順でリクエスト情報記憶手段に記憶させるリクエスト登録手段と、を有し、前記リクエスト登録手段によって前記リクエスト情報記憶手段に対する前記楽曲識別情報の登録処理が行われた場合、前記楽曲放送制御手段が、前記ＦＭラジオ放送設備に対し、前記ランダムに選択される楽曲に関する演奏データに基づく演奏を中断させると共に、前記リクエスト情報記憶手段に記憶される前記楽曲識別情報に対応する前記演奏データを前記リクエスト登録手段によって記憶させた順に演奏させる制御を行うことを特徴とする。
【発明の効果】
【００１０】
開示するＦＭラジオ放送自動化装置は、コミュニティーＦＭラジオ放送において人件費を可能な限り極小化させた上で、出来るだけリスナーに興味を抱かせるような番組を放送する。
【図面の簡単な説明】
【００１１】
【図１】本実施の形態に係るＦＭラジオ放送自動化装置の概要を説明する図である。
【図２】本実施の形態に係るＦＭラジオ放送自動化装置の機能ブロック図である。
【図３】本実施の形態に係る楽曲情報記憶手段の一例を示す図である。
【図４】本実施の形態に係るリクエスト情報記憶手段の一例を示す図である。
【図５】本実施の形態に係るリクエスト情報記憶手段の一例を示す図である。
【図６】本実施の形態に係るＦＭラジオ放送自動化装置のハードウエア構成例を示す図である。
【図７】本実施の形態に係るＦＭラジオ放送自動化装置による処理例の流れを示すフローチャートである。
【図８】本実施の形態に係るＦＭラジオ放送自動化装置による処理例の流れを示すフローチャートである。
【図９】本実施の形態に係るＦＭラジオ放送自動化装置による処理例の流れを示すフローチャートである。
【発明を実施するための形態】
【００１２】
図面を参照しながら、本発明を実施するための形態について説明する。
（本実施の形態に係るＦＭラジオ放送自動化装置の動作原理）
【００１３】
図１乃至５を用いて、本実施の形態に係るＦＭラジオ放送自動化装置（以下、単に「本装置」という。）１００の動作原理について説明する。図１は、本装置１００と他装置との関わり方を模式的に示す図である。
【００１４】
図１で示すように、本装置１００は、通信ネットワーク３２０を介して、ＦＭラジオ放送のリスナー２８０が操作するリスナー端末３００と接続される。通信ネットワーク３２０は、有線・無線何れであっても良く、また、リスナー端末３００は、スマートフォン等の携帯情報端末、デスクトップ型のパーソナルコンピューター等、特にその形態は限定されない。
また、本装置１００は、ＦＭ放送波を送信し、ラジオ放送を行う設備であるＦＭラジオ放送設備２７０と接続される。
【００１５】
本装置１００は、ランダムに選曲された楽曲２１０をＦＭラジオ放送設備２７０から放送させる制御を行いつつ、リスナー端末３００から聴きたい楽曲２１０のリスクエストを受け付けた場合、リクエストに係る楽曲２１０を優先的に放送させる制御を行う。本装置１００は、楽曲２１０の演奏を行うＦＭラジオ番組に係る放送の無人化（自動化）を図ることによって、コミュニティーＦＭラジオ放送において人件費を可能な限り極小化させる。本装置１００は、一方で、リスナー２８０を番組作りに参加させ、リスナー２８０に興味を抱かせるような番組を放送する。
【００１６】
図２で示すように、本装置１００は、楽曲情報記憶手段１１０、リクエスト情報記憶手段１２０、検索結果表示手段１３０、リクエスト受付手段１４０、リクエスト判定手段１５０、リクエスト登録手段１６０、楽曲放送制御手段１７０、参考情報収集手段１８０、演奏開始時刻算出手段１９０、参考情報表示手段２００を有する。
【００１７】
楽曲情報記憶手段１１０は、ＦＭラジオ放送設備２７０において放送される楽曲２１０に関する情報が記憶される、所謂データベースである。楽曲情報記憶手段１１０は、複数の楽曲２１０それぞれについて、楽曲の曲名２２０と、楽曲を演奏する演奏者名（歌手名）２３０と、楽曲が録音された演奏データ２４０と、楽曲の演奏時間２５０と、楽曲を識別する楽曲識別情報２６０と、を対応付けて記憶する。なお、演奏データ２４０のデータ形式は、何ら限定されないものとする。
【００１８】
図３で示すように、楽曲情報記憶手段１１０においては、例えば、楽曲識別情報２６０：１０ａａａ、曲名２２０：ＡＡＡ、演奏者名２３０：ａａａ、演奏時間：５分５秒、演奏データ２４０：ａａａ．ｍｐ３が対応付けて記憶されている。また、楽曲情報記憶手段１１０においては、例えば、楽曲識別情報２６０：ｘｘｘ１０、曲名２２０：ＸＸＸ、演奏者名２３０：ｘｘｘ、演奏時間：６分１０秒、演奏データ２４０：ｘｘｘ．ｍｐ３が対応付けて記憶されている。
【００１９】
リクエスト情報記憶手段１２０は、リスナー２８０から受け付けたリクエスト曲に関する情報が記憶される、所謂データベースである。リクエスト情報記憶手段１２０は、リクエスト受付手段１４０がリクエストを受け付けた順に、リクエストとして受け付けられた順番、曲名２２０、演奏者名２３０、リクエストを行ったリスナー２８０を識別するリスナー識別情報２９０、楽曲識別情報２６０等の情報を対応付けて記憶する。また、リクエスト情報記憶手段１２０は、ＦＭラジオ放送設備２７０において現在放送中の楽曲２１０を特定する情報も記憶する。
【００２０】
図４で示すように、リクエスト情報記憶手段１２０は、リクエストの順番：１、曲名２２０：ＡＡＡ、演奏者名２３０：ａａａ、リスナー識別情報２９０：福ちゃん、楽曲識別情報２６０：１０ａａａを対応付けて記憶する。また、リクエスト情報記憶手段１２０は、リクエストの順番：２、曲名２２０：ＢＢＢ、演奏者名２３０：ｂｂｂ、リスナー識別情報２９０：田田、楽曲識別情報２６０：１０ｂｂｂで識別される楽曲２１０が、現在放送中であるとする情報も記憶する。
【００２１】
検索結果表示手段１３０は、リスナー端末３００において行われる、楽曲情報記憶手段１１０が記憶する情報に対する曲名２２０及び演奏者名２３０の一方又は両方を検索条件とする検索操作に基づく検索結果をリスナー端末３００に表示させる。検索結果表示手段１３０は、楽曲情報記憶手段１１０に記憶される情報を対象として、リスナー２８０にリクエスト希望の楽曲２１０を検索させ、検索結果をリスナー端末３００上に表示させる処理を行う。検索結果表示手段１３０によって提供される検索結果は、リスナー端末３００における操作に基づいて、リクエスト希望の楽曲２１０をリスナー２８０が選択可能な形式で表示させる。
【００２２】
リクエスト受付手段１４０は、検索結果表示手段１３０によって表示される検索結果（楽曲２１０）の１つを選択するリスナー端末３００における操作に基づいて、リスナー識別情報２９０と、リスナー２８０によって選択される検索結果（楽曲２１０）に対応する楽曲識別情報２６０と、を関連付けて受け付ける。リクエスト受付手段１４０は、リスナー端末３００上に表示される１つ以上の楽曲２１０のうち、リスナー２８０がラジオ放送させることを希望する１つの楽曲２１０を選択する操作に基づいて、リクエストを行ったリスナー２８０を識別するリスナー識別情報２９０と、選択された楽曲２１０を特定する楽曲識別情報２６０と、を対応付けて受け付ける。リスナー識別情報２９０は、例えば、特定のラジオ番組内だけで通用するニックネーム（ラジオネーム）であっても良いし、セッションを識別するための情報であるセッションＩＤであっても良く、特にその形式は限定されない。
【００２３】
図４及び５で示すように、“１０番”のリクエストが新たに受け付けられた場合を想定すると、リクエスト受付手段１４０は、例えば、リスナー識別情報２９０：史さんと、楽曲識別情報２６０：ｙｙｙ１０と、を対応付けて受け付ける。
【００２４】
リクエスト判定手段１５０は、リクエスト受付手段１４０によって受け付けたリスナー識別情報２９０及び楽曲識別情報２６０それぞれについて、所定の例外規則３１０に合致するか否かを判定する。リクエスト判定手段１５０は、魅力あるラジオ番組を制作・放送する観点から、リクエスト受付手段１４０によって受け付けられたリクエストが、後段の放送処理へ移行させて良いリクエストなのか否かを所定の基準に基づき判定する。
【００２５】
所定の例外規則３１０は、リクエスト受付手段１４０によって今回受け付けられたリスナー識別情報２９０又は楽曲識別情報２６０が、リクエスト受付手段１４０によって前回受け付けられたリスナー識別情報２９０又は楽曲識別情報２６０と同一であることである。つまり、所定の例外規則３１０は、同一のリスナー２８０から連続してリクエストを受け付けないこと、同一の楽曲２１０について連続してリクエストを受け付けないこと、を目的として規定されるものである。所定の例外規則３１０は、魅力あるラジオ番組を制作・放送するという目的に沿う限り、内容を特に限定しない。
【００２６】
リクエスト登録手段１６０は、リクエスト判定手段１５０によって所定の例外規則３１０に合致しないと判定された場合に処理を行う。リクエスト登録手段１６０は、リクエスト受付手段１４０によって受け付けた楽曲識別情報２６０を、リクエストの受け付け順でリクエスト情報記憶手段１２０に記憶させる（登録する）。
【００２７】
図４で示す状態において、新たに“１０番”のリクエストが受け付けられた場合を想定する。図４及び５で示すように、リクエスト登録手段１６０は、リクエスト情報記憶手段１２０に、例えば、リスナー識別情報２９０：史さんと、楽曲識別情報２６０：ｙｙｙ１０と、を対応付けて記憶させる（登録する）。また、リクエスト登録手段１６０は、楽曲情報記憶手段１１０において楽曲識別情報２６０：ｙｙｙ１０と紐付けられている、曲名２２０：ＹＹＹ、演奏者名２３０：ｙｙｙも併せて、リクエスト情報記憶手段１２０に記憶させる（登録する）。
【００２８】
楽曲放送制御手段１７０は、ＦＭラジオ放送設備２７０に対し、楽曲情報記憶手段１１０に記憶される演奏データ２４０のうちランダムに選択される楽曲２１０に関する演奏データ２４０を演奏（放送）させる制御を行う。楽曲放送制御手段１７０は、ＦＭラジオ放送の無人化（自動化）を図るため、リクエストが無い間、ＦＭラジオ放送設備２７０に対し楽曲２１０の自動放送を行わせる。
【００２９】
楽曲放送制御手段１７０は、リクエスト情報記憶手段１２０に未放送のリクエストが有る場合、ＦＭラジオ放送設備２７０に対し、ランダムに選択される楽曲に関する演奏データ２４０に基づく演奏（放送）を中断させる。そして、楽曲放送制御手段１７０は、リクエスト情報記憶手段１２０に記憶（登録）される楽曲識別情報２６０に対応する演奏データ２４０であって、未放送の楽曲２１０に係る演奏データ２４０を、リクエスト登録手段１６０によって記憶させた順に演奏（放送）させる制御を行う。楽曲放送制御手段１７０は、リスナー２８０を番組作りに参加させ、リスナー２８０に興味を抱かせるような番組を制作するため、リスナー２８０がリクエストした楽曲２１０を放送させる。
【００３０】
参考情報収集手段１８０は、ＦＭラジオ放送設備２７０において現在放送中の楽曲２１０に係る楽曲識別情報２６０を検知する。参考情報収集手段１８０は、例えば、楽曲放送制御手段１７０によって最後に演奏（放送）指示が出された楽曲２１０（楽曲識別情報２６０）を、現在放送中の楽曲２１０（楽曲識別情報２６０）として検知する。参考情報収集手段１８０は、現在放送中の楽曲２１０（楽曲識別情報２６０）を、その他どの様な手法によって検知する形態としても良い。
【００３１】
参考情報収集手段１８０は、検知した楽曲識別情報２６０について、リクエスト情報記憶手段１２０において現在放送中の楽曲２１０を特定する情報と関連付けて記憶させる。これによって、リクエスト情報記憶手段１２０において、どの楽曲２１０が現在放送中であるかを知ることができる。
【００３２】
図４及び５で示すように、参考情報収集手段１８０は、例えば、楽曲放送制御手段１７０によって最後に放送指示が出された楽曲２１０（楽曲識別情報２６０）：１０ｂｂｂを、現在放送中の楽曲２１０として検知する。そして、参考情報収集手段１８０は、リクエスト情報記憶手段１２０において、検知した楽曲識別情報２６０：１０ｂｂｂと、現在放送中の楽曲２１０を特定するための情報と、を関連付けて記憶させる。
【００３３】
演奏開始時刻算出手段１９０は、参考情報収集手段１８０によって検知された現在放送中の楽曲２１０の演奏開始時刻、リクエスト情報記憶手段１２０に記憶される現在放送中・未放送の楽曲２１０に関する演奏時間２５０に基づいて、リスナー２８０がリクエストする楽曲２１０がＦＭラジオ放送設備２７０において放送される予想時刻を算出する。
【００３４】
参考情報表示手段２００は、リスナー端末３００に対し、参考情報収集手段１８０によって検知された楽曲２１０に係る曲名２２０、演奏者名２３０、リクエスト情報記憶手段１２０に記憶される未放送の楽曲２１０の件数、及び演奏開始時刻算出手段１９０によって算出される時刻を表示させる。リスナー２８０に対し番組情報をリアルタイムで知らせることによって、リスナー２８０によるリクエスト・番組参加を促している。
【００３５】
上記のような処理を行うことによって、本装置１００は、コミュニティーＦＭラジオ放送において人件費を可能な限り極小化させた上で、出来るだけリスナー２８０に興味を抱かせるような番組を放送することができる。
（本実施の形態に係るＦＭラジオ放送自動化装置のハードウエア構成例）
【００３６】
図６を用いて、本装置１００のハードウエア構成例について説明する。図６は、本装置１００のハードウエア構成の一例を示す図である。図６で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置（表示装置）４７０、記録媒体Ｉ／Ｆ４８０を有する。
【００３７】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００３８】
補助記憶装置４４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。補助記憶装置４４０は、楽曲情報記憶手段１１０、リクエスト情報記憶手段１２０を含む。
【００３９】
通信Ｉ／Ｆ４５０は、有線・無線ＬＡＮ（Local Area Network）、インターネットなどの通信ネットワーク３２０に接続し、通信機能を提供する他装置３００等とデータの授受を行うためのインターフェースである。
【００４０】
入力装置４６０は、キーボードやタッチパネルなど本装置１００にデータ入力を行うための装置である。出力装置４７０は、ＬＣＤ（Liquid Crystal Display）等で構成される装置であり、本装置１００が有する機能をユーザーが利用する際や各種設定を行う際のユーザーインターフェースとして機能する装置である。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００４１】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、本装置１００に当該プログラムを実行させる形態としても良い。
（本実施の形態に係るＦＭラジオ放送自動化装置による処理例）
（１）本装置１００によるリクエスト曲を放送する際の割り込み処理
【００４２】
図７を用いて、本装置１００によるリクエスト曲を放送する際の割り込み処理について説明する。図７は、本装置１００によるリクエスト曲を放送する際の割り込み処理の一例の流れを示すフローチャートである。
【００４３】
Ｓ１０で楽曲放送制御手段１７０が、ＦＭラジオ放送設備２７０に対し、楽曲情報記憶手段１１０に記憶される演奏データ２４０のうちランダムに選択される楽曲２１０に関する演奏データ２４０を演奏させる制御を行う。楽曲放送制御手段１７０は、ＦＭラジオ放送の無人化（自動化）を図るため、リクエストが無い間、ＦＭラジオ放送設備２７０に対し楽曲２１０の自動放送を行わせる。
【００４４】
Ｓ２０においてリクエスト登録手段１６０によるリクエスト情報記憶手段１２０に対するリクエスト登録処理（楽曲識別情報２６０の登録処理）が行われた場合（Ｓ２０でＹｅｓ）、処理はＳ３０へ移行する。
【００４５】
Ｓ３０で楽曲放送制御手段１７０が、ＦＭラジオ放送設備２７０に対し、ランダムに選択される楽曲に関する演奏データ２４０に基づく演奏（放送）を中断させる。加えて、Ｓ３０で楽曲放送制御手段１７０が、リクエスト情報記憶手段１２０に記憶（登録）される楽曲識別情報２６０に対応する演奏データ２４０であって、未放送の楽曲２１０に係る演奏データ２４０を、リクエスト登録手段１６０によって記憶させた順に演奏（放送）させる制御を行う。楽曲放送制御手段１７０は、リスナー２８０を番組作りに参加させ、リスナー２８０に興味を抱かせるような番組を制作するため、リスナー２８０がリクエストした楽曲２１０を放送させる。
（２）本装置１００によるリクエスト曲の受付・放送処理
【００４６】
図８を用いて、本装置１００によるリクエスト曲の受付・放送処理について説明する。図８は、本装置１００によるリクエスト曲の受付・放送処理の一例の流れを示すフローチャートである。
【００４７】
Ｓ１１０で検索結果表示手段１３０が、楽曲情報記憶手段１１０に記憶される情報を対象として、リスナー２８０にリクエスト希望の楽曲２１０を検索させ、検索結果をリスナー端末３００上に表示させる処理を行う。より具体的には、検索結果表示手段１３０は、リスナー端末３００において行われる、楽曲情報記憶手段１１０が記憶する情報に対する曲名２２０及び演奏者名２３０の一方又は両方を検索条件とする検索操作に基づく検索結果をリスナー端末３００に表示させる。
【００４８】
さらに、Ｓ１１０でリクエスト受付手段１４０が、Ｓ１１０において表示される検索結果（楽曲２１０）の１つを選択するリスナー端末３００における操作に基づいて、リスナー識別情報２９０と、リスナー２８０によって選択される検索結果（楽曲２１０）に対応する楽曲識別情報２６０と、を関連付けて受け付ける。
【００４９】
リクエスト受付手段１４０は、リスナー端末３００上に表示される１つ以上の楽曲２１０のうち、リスナー２８０がラジオ放送させることを希望する１つの楽曲２１０を選択する操作に基づいて、リクエストを行ったリスナー２８０を識別するリスナー識別情報２９０と、選択された楽曲２１０を特定する楽曲識別情報２６０と、を対応付けて受け付ける。
【００５０】
図４及び５で示すように、“１０番”のリクエストが新たに受け付けられた場合を想定すると、リクエスト受付手段１４０は、例えば、リスナー識別情報２９０：史さんと、楽曲識別情報２６０：ｙｙｙ１０と、を対応付けて受け付ける。
【００５１】
Ｓ１２０でリクエスト判定手段１５０が、Ｓ１１０において受け付けたリスナー識別情報２９０及び楽曲識別情報２６０それぞれについて、所定の例外規則３１０に合致するか否かを判定する。リクエスト判定手段１５０は、魅力あるラジオ番組を制作・放送する観点から、リクエスト受付手段１４０によって受け付けられたリクエストが、後段の放送処理へ移行させて良いリクエストなのか否かを所定の基準に基づき判定する。
【００５２】
所定の例外規則３１０は、リクエスト受付手段１４０によって今回受け付けられたリスナー識別情報２９０又は楽曲識別情報２６０が、リクエスト受付手段１４０によって前回受け付けられたリスナー識別情報２９０又は楽曲識別情報２６０と同一であることである。つまり、所定の例外規則３１０は、同一のリスナー２８０から連続してリクエストを受け付けないこと、同一の楽曲２１０について連続してリクエストを受け付けないこと、を目的として規定されるものである。
【００５３】
Ｓ１２０においてリクエストが所定の例外規則３１０に合致しないと判定された場合、Ｓ１３０でリクエスト登録手段１６０が、Ｓ１１０において受け付けた楽曲識別情報２６０を、リクエストの受け付け順でリクエスト情報記憶手段１２０に登録する。
【００５４】
図４で示す状態において、新たに“１０番”のリクエストが受け付けられた場合を想定する。図４及び５で示すように、リクエスト登録手段１６０は、リクエスト情報記憶手段１２０に、例えば、リスナー識別情報２９０：史さんと、楽曲識別情報２６０：ｙｙｙ１０と、を対応付けて登録する。また、リクエスト登録手段１６０は、楽曲情報記憶手段１１０において楽曲識別情報２６０：ｙｙｙ１０と紐付けられている、曲名２２０：ＹＹＹ、演奏者名２３０：ｙｙｙも併せて、リクエスト情報記憶手段１２０に登録する。
【００５５】
Ｓ１４０で楽曲放送制御手段１７０が、ＦＭラジオ放送設備２７０に対し、リクエスト情報記憶手段１２０に登録される楽曲識別情報２６０に対応する演奏データ２４０であって、未放送の楽曲２１０に係る演奏データ２４０を、Ｓ１３０において登録させた順に放送させる制御を行う。楽曲放送制御手段１７０は、リスナー２８０を番組作りに参加させ、リスナー２８０に興味を抱かせるような番組を制作するため、リスナー２８０がリクエストした楽曲２１０を放送させる。
【００５６】
上記のような処理を行うことによって、本装置１００は、コミュニティーＦＭラジオ放送において人件費を可能な限り極小化させた上で、出来るだけリスナー２８０に興味を抱かせるような番組を放送することができる。
（３）本装置１００による参考情報の表示処理
【００５７】
図９を用いて、本装置１００による参考情報の表示処理について説明する。図９は、本装置１００による参考情報の表示処理の一例の流れを示すフローチャートである。
【００５８】
Ｓ２１０で参考情報収集手段１８０が、ＦＭラジオ放送設備２７０において現在放送中の楽曲２１０に係る楽曲識別情報２６０を検知する。参考情報収集手段１８０は、例えば、楽曲放送制御手段１７０によって最後に放送指示が出された楽曲２１０（楽曲識別情報２６０）を、現在放送中の楽曲２１０（楽曲識別情報２６０）として検知する。なお、参考情報収集手段１８０は、現在放送中の楽曲２１０（楽曲識別情報２６０）を、その他どの様な手法によって検知する形態としても良い。
【００５９】
さらに、Ｓ２１０で参考情報収集手段１８０が、Ｓ２１０において検知した楽曲識別情報２６０と、現在放送中の楽曲２１０を特定する情報と、を関連付けてリクエスト情報記憶手段１２０に記憶させる。これによって、リクエスト情報記憶手段１２０において、どの楽曲２１０が現在放送中であるかを知ることができる。
【００６０】
図４及び５で示すように、参考情報収集手段１８０は、例えば、楽曲放送制御手段１７０によって最後に放送指示が出された楽曲２１０（楽曲識別情報２６０）：１０ｂｂｂを、現在放送中の楽曲２１０として検知する。そして、参考情報収集手段１８０は、リクエスト情報記憶手段１２０において、検知した楽曲識別情報２６０：１０ｂｂｂと、現在放送中の楽曲２１０を特定するための情報と、を関連付けて記憶させる。
【００６１】
Ｓ２２０で演奏開始時刻算出手段１９０が、Ｓ２１０において検知された現在放送中の楽曲２１０の演奏開始時刻、リクエスト情報記憶手段１２０に記憶される現在放送中・未放送の楽曲２１０に関する演奏時間２５０に基づいて、リスナー２８０がリクエストする楽曲２１０がＦＭラジオ放送設備２７０において放送される予想時刻を算出する。
【００６２】
Ｓ２３０で参考情報表示手段２００が、リスナー端末３００に対し、Ｓ２１０において検知された楽曲２１０に係る曲名２２０、演奏者名２３０、リクエスト情報記憶手段１２０に記憶される未放送の楽曲２１０の件数、及びＳ２２０において算出された時刻を表示させる。リスナー２８０に対し番組情報をリアルタイムで知らせることによって、リスナー２８０によるリクエスト・番組参加を促している。
【００６３】
上記のような処理を行うことによって、本装置１００は、コミュニティーＦＭラジオ放送において人件費を可能な限り極小化させた上で、出来るだけリスナー２８０に興味を抱かせるような番組を放送することができる。
【００６４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００６５】
１００  ＦＭラジオ放送自動化装置
１１０  楽曲情報記憶手段
１２０  リクエスト情報記憶手段
１３０  検索結果表示手段
１４０  リクエスト受付手段
１５０  リクエスト判定手段
１６０  リクエスト登録手段
１７０  楽曲放送制御手段
１８０  参考情報収集手段
１９０  演奏開始時刻算出手段
２００  参考情報表示手段
２１０  楽曲
２２０  楽曲の曲名
２３０  楽曲を演奏する演奏者名
２４０  楽曲が録音された演奏データ
２５０  楽曲の演奏時間
２６０  楽曲を識別する楽曲識別情報
２７０  ＦＭラジオ放送設備
２８０  リスナー
２９０  リスナー識別情報
３００  リスナー端末
３１０  所定の例外規則
３２０  通信ネットワーク
４１０  ＣＰＵ
４２０  ＲＯＭ
４３０  ＲＡＭ
４４０  補助記憶装置
４５０  通信インターフェース
４６０  入力装置
４７０  出力装置（表示装置）
４８０  記録媒体インターフェース
４９０  記録媒体
【図１】
2019103055.tif 000003
【図２】
2019103055.tif 000004
【図３】
2019103055.tif 000005
【図４】
2019103055.tif 000006
【図５】
2019103055.tif 000007
【図６】
2019103055.tif 000008
【図７】
2019103055.tif 000009
【図８】
2019103055.tif 000010
【図９】
2019103055.tif 000011